(57)【要約】【課題】  発生する渦による騒音を防止して商品性を高めるとともに、空力損失を抑えて性能を向上することができるプロペラファンおよびこれを用いた空気調和機を提供する。【解決手段】  少なくとも一つ以上の羽根４を装着したハブ３を所定方向に回転させて、流体を上流側から下流側に送り出すプロペラファン１である。羽根４の外周部は、少なくともその後縁側付近が負圧側を向くように湾曲する湾曲部１０を有する。羽根４の後縁のライン８は、ハブ３の回転軸Ｏに垂直な平面に投影したときに、羽根４の内周端から外周側に向けて緩やかに曲線を描きながら回転方向に前進し、さらに、羽根４の外周端１３よりやや根元側で変曲点１２をもつように回転方向に対して後退した曲線になっている。【選択図】    図１
2006002584.tif 000002
【特許請求の範囲】
【請求項１】
少なくとも一つ以上の羽根を装着したハブを所定方向に回転させて、流体を上流側から下流側に送り出すプロペラファンであって、
前記羽根の外周部は、少なくともその後縁側付近が負圧側を向くように湾曲する湾曲部を有し、
前記羽根の後縁のラインは、前記ハブの回転軸に垂直な平面に投影したときに、前記羽根の内周端から外周側に向けて緩やかに曲線を描きながら回転方向に前進し、さらに、前記羽根の外周端よりやや根元側で変曲点をもつように回転方向に対して後退した曲線になっていることを特徴とするプロペラファン。
【請求項２】
前記後縁のラインは、前記回転軸に垂直な平面に投影したときに、前記根元部側から変曲点にかけての部位の曲率半径よりも、前記変曲点から前記外周端にかけての曲率半径を小さくしていることを特徴とする請求項１に記載のプロペラファン。
【請求項３】
前記羽根を子午面に回転投影したとき、
前記内周端と、前記変曲点と、前記外周端とが略同一直線上に位置するように形成されていることを特徴とする請求項１または請求項２に記載のプロペラファン。
【請求項４】
前記羽根を子午面に回転投影したとき、
前記変曲点と前記外周端とを通る直線よりも前記内周端を上流側に位置するように形成されていることを特徴とする請求項１または請求項２に記載のプロペラファン。
【請求項５】
前記後縁のラインの最外周部が、その外周側を囲むように配設されるベルマウスの前記回転軸方向下流端部よりも、上流側に位置していることを特徴とする請求項１から請求項４のいずれかに記載のプロペラファン。
【請求項６】
前記湾曲部の半径方向の幅を、前記羽根の前縁側から後縁側にかけて、漸次大きくしていることを特徴とする請求項１から請求項５のいずれかに記載のプロペラファン。
【請求項７】
前記湾曲部を、前記羽根のその他の部位よりも柔軟な樹脂製材料で形成していることを特徴とする請求項１から請求項６のいずれかに記載のプロペラファン。
【請求項８】
前記柔軟な樹脂製材料は、前記羽根を使用回転数で回転させたときに、前記ベルマウスとの非接触状態を維持し得る硬さを有していることを特徴とする請求項７に記載のプロペラファン。
【請求項９】
請求項１から請求項８のいずれかに記載のプロペラファンを備えることを特徴とする空気調和機。
【発明の詳細な説明】
【技術分野】
【０００１】
本発明は、ハブに装着した少なくとも一つ以上の羽根を所定方向に回転させて、流体を上流側から下流側に送り出すプロペラファンおよびこれを用いた空気調和機に関するものである。
【背景技術】
【０００２】
従来におけるベーシックなプロペラファンとしては、例えば図１０に示すものが知られている。同図に示すプロペラファン１０１は、円筒状のハブ１０３と、このハブ１０３に装着された羽根１０４（１０４ａ〜１０４ｃ）とを備えている。このハブ１０３を所定方向Ｐ（この場合は時計回り）に回転させて羽根１０４を旋回させることで、空気等の流体を前方から後方（矢印Ｑ方向）に送り出している。
【０００３】
しかしながら、プロペラファン１０１の羽根１０４を旋回させたときに、羽根１０４の外周側端部１０６で発生する翼端渦Ｓ１、Ｓ２が問題となる（図１０参照）。すなわち、羽根１０４ａで発生した翼端渦Ｓ１が、プロペラファン１０１の外周側に配設されるリング状のベルマウス１１９に衝突したり（衝突箇所Ｕ１）、先行する羽根（例えば羽根１０４ｂ）の翼端で発生した翼端渦Ｓ２が後方に放出されて、後続する羽根（例えば羽根１０４ｃ）に衝突することで（衝突箇所Ｕ２）、騒音が発生して空力損失が増大してしまう。
従って、羽根の翼端で発生した翼端渦Ｓ１、Ｓ２がベルマウス１１９や後続する羽根１０４への衝突を防止することが重要であり、このような観点から、以下に示すような技術が提案されている。
【０００４】
例えば、飛行機の羽根の端部に設けられるウイングレットと同様の処理を行うことで、羽根の翼端の部分を他の部分よりも高くすることで、翼端の部分を負圧側（吸い込み側）に位置させて、翼端渦が発生した羽根の表面との接触を避ける技術が提案されている。
【０００５】
また、羽根で発生した翼端渦が、その回転方向後方に位置する他の羽根に衝突することを避けるために、図１１に示すように、羽根１３４の外周側端部に翼端渦を引き寄せる負圧部（反り返り部）１４０を設けたプロペラファン１３０が提案されている。図１１は、プロペラファン１３０の要部断面図であり、図１０のＢＢ方向から視た図に相当する。図１１に示すように、プロペラファン１３０の羽根１３４の外周部には、負圧面側（図１１の上側）に外周端を突出するように負圧部１４０を設けて、翼端渦を負圧により引き止めるように構成している。
そして、これらの技術を反映したものとしては、特許文献１に開示されているように、羽根の前縁と後縁の外周端を前方に位置させて、その幅が前縁から後縁にかけて大きくなるように外周部に反り返り部を設ける技術が提案されている。
【特許文献１】特開２００３−１８４７９２号公報
【発明の開示】
【発明が解決しようとする課題】
【０００６】
しかしながら、従来の技術においては、以下のような問題がある。図１２、図１３は従来の技術における問題点を示す説明図であり、図１０に示すプロペラファンの外周側に図１１に示す改良を加えたプロペラファンの斜視図、一部断面図である。図１２に示すように、ハブ１０３を所定方向（矢印Ｐ方向）に回転させて前記羽根４を旋回させることで、流体を上流側から下流側（矢印Ｑ方向）に送り出されるが、このときに、羽根１３４の翼端１３５で翼端渦Ｓ３が発生する。図１２に示すように、羽根１３４の外周部における反り返り部１４０が形成された部位では、翼端渦Ｓ３は安定するものの、反り返り部１４０よりも下流側に翼端渦Ｓ３が流れた場合には拡散してしまう。その結果、翼端渦Ｓ３が羽根１３４の径方向外方に開放されると、羽根１３４の負圧によって拘束できなくなり、渦が遠心力で羽根１３４の径方向外方に移動してしまう。加えて、小さく安定していた渦が渦自体の遠心力で拡がろうとする。反り返り部１４０よりも下流側の位置にベルマウス１１９が設けられている場合には、拡散した翼端渦Ｓ３がベルマウス１１９に衝突してしまう（衝突箇所Ｕ３）。また、図１３に示すように、羽根１３４の後縁ライン１３８で発生する後流渦Ｔと、翼端渦Ｓ３とが、互いに増幅するように干渉しあって、後縁ライン１３８と衝突してしまう（衝突箇所Ｕ４）。従って、これらの衝突により騒音が発生して商品性を低下させるとともに、空力損失が発生して性能を低下させてしまうという問題がある。
【０００７】
従って、本発明は、発生する渦による騒音を防止して商品性を高めるとともに、空力損失を抑えて性能を向上することができるプロペラファンおよびこれを用いた空気調和機を提供することを目的とする。
【課題を解決するための手段】
【０００８】
請求項１に係る発明は、少なくとも一つ以上の羽根を装着したハブを所定方向に回転させて、流体を上流側から下流側に送り出すプロペラファンであって、前記羽根の外周部は、少なくともその後縁側付近が負圧側を向くように湾曲する湾曲部を有し、前記羽根の後縁のラインは、前記ハブの回転軸に垂直な平面に投影したときに、前記羽根の内周端から外周側に向けて緩やかに曲線を描きながら回転方向に前進し、さらに、前記羽根の外周端よりやや根元側で変曲点をもつように回転方向に対して後退した曲線になっていることを特徴とする。
【０００９】
この発明によれば、前記羽根の後縁のラインにおける、羽根の外周端よりやや根元側では、前記平面に投影したときに、前記変曲点をもつように回転方向に対して後退した曲線としているので、翼端渦が前記羽根の後縁ラインから下流側に放出されるまで前記翼端渦を安定させることができる。さらに、前記平面に投影したときに、前記羽根の内周端から外周側に向けて緩やかに曲線を描きながら回転方向に前進する曲線を前記後縁ラインに形成することで、後流渦を小さくすることができる。すなわち、後流渦は後縁のラインに垂直な方向に放出されるので、従来のように後縁ラインが直線に近い形状の場合には、半径方向の各部位から放出される後流渦は一体化して幅の大きな渦となり、騒音も大きくなってしまう。しかしながら、前記羽根の後縁のラインを上述の曲線にすることにより、半径方向の各部位から放出される後流渦の放出方向を異ならせることができる。よって、半径方向の各部位から放出される後流渦が一体化しにくくなり、小さな渦となるため、騒音を低下させることができる。
従って、発生する渦による騒音を防止して商品性を高めるとともに、空力損失を抑えて性能を向上することができる。
【００１０】
請求項２に係る発明は、請求項１に記載のものであって、前記後縁のラインは、前記回転軸に垂直な平面に投影したときに、前記根元部側から変曲点にかけての部位の曲率半径よりも、前記変曲点から前記外周端にかけての曲率半径を小さくしていることを特徴とする。
この発明によれば、旋回性能に主として寄与する仕事量を維持しつつ、翼端渦や後流渦の発生を抑えることができる。
【００１１】
請求項３に係る発明は、請求項１または請求項２に記載のものであって、前記羽根を子午面に回転投影したとき、前記内周端と、前記変曲点と、前記外周端とが略同一直線上に位置するように形成されていることを特徴とする。
【００１２】
この発明によれば、上述の３つの点（内周端、変曲点、外周端）を略同一直線上に位置させることにより、後縁ラインにおいて下流方向に局所的に突出する箇所を無くすことができる。従って、空気調和機などにおいて、プロペラファンの下流側に配設されるファンガードとの干渉によって発生する騒音を抑制しつつ、限られたスペース内でできる限り翼面積を確保することができる。これによって、前記羽根の翼面における圧力上昇が緩やかとなり、空力性能の向上や騒音の低減が可能となる。
前記羽根の後縁のラインから翼端渦が下流側に放出される際に、翼端渦が径方向外周に流出することを防止することができ、引き続き翼外周端のラインの後方に後流渦を流すことができる。
【００１３】
請求項４に係る発明は、請求項１または請求項２に記載のものであって、前記羽根を子午面に回転投影したとき、前記変曲点と前記外周端とを通る直線よりも前記内周端を上流側に位置するように形成されていることを特徴とする。
この発明によれば、前記羽根の後縁のラインから後流渦が放出される際に、後流渦が径方向外周に流出することを、上述の３つの点を同一直線上に位置させる場合に比して、より確実に防止することができるため、後流渦の流れをさらに安定させることができる。
【００１４】
請求項５に係る発明は、請求項１から請求項４のいずれかに記載のものであって、前記後縁のラインの最外周部が、その外周側を囲むように配設されるベルマウスの前記回転軸方向下流端部よりも、上流側に位置していることを特徴とする。
この発明によれば、異物の混入を防ぐためのファンガードをベルマウスに取り付け易くなり、さらに、ファンの羽根とファンガードとの距離を確保しやすくなるため両者の干渉による騒音を抑制することができる。
【００１５】
請求項６に係る発明は、請求項１から請求項５のいずれかに記載のものであって、前記湾曲部の半径方向の幅を、前記羽根の前縁側から後縁側にかけて、漸次大きくしていることを特徴とする。
この発明によれば、前記羽根の翼端で発生した渦が、前記羽根の前縁側から後縁側に向かうにつれて成長していっても、前記湾曲部に前記渦を引きつけておくことができ、翼端渦が前記羽根から下流側に放出されるまで前記翼端渦を安定させることができる。
【００１６】
請求項７に係る発明は、請求項１から請求項６のいずれかに記載のものであって、前記湾曲部を、前記羽根のその他の部位よりも柔軟な樹脂製材料で形成していることを特徴とする。
この発明によれば、前記羽根の旋回時に生じる翼端渦が前記湾曲部に衝突したときに、前記翼端渦のエネルギーを前記湾曲部でダンピングして、渦のエネルギーを吸収して小さくすることができる。従って、前記翼端渦による騒音をより効果的に抑制することができる。さらに、前記羽根がアンダーカット形状を有していても、無理抜き成型することが可能となり、効率よく生産することができる。
【００１７】
請求項８に係る発明は、請求項７に記載のものであって、前記柔軟な樹脂製材料は、前記羽根を使用回転数で回転させたときに、前記ベルマウスとの非接触状態を維持し得る硬さを有していることを特徴とする。
この発明によれば、前記樹脂製材料が前記硬さを有することにより、前記ベルマウスと接触することによる旋回時の抵抗が増大することを防止できる。従って、旋回時に生じる抵抗の増大を防止することができるので、静音性を維持しつつ旋回性能を高く保つことができる。
【００１８】
請求項９に係る発明は、空気調和機であって、請求項１から請求項８のいずれかに記載のプロペラファンを備えることを特徴とする。
この発明によれば、渦による騒音を抑制して空力損失を抑えることのできるプロペラファンを用いることができるので、快適性や利便性を高めることができる。
【発明の効果】
【００１９】
請求項１に係る発明によれば、翼端渦や後流渦の衝突による騒音の発生を抑えることができるため、商品性を高めることができるとともに、空力損失を抑えることができるので性能を向上することができる。
【００２０】
請求項２に係る発明によれば、旋回性能に主として寄与する仕事量を維持しつつ、翼端渦や後流渦の発生を抑えることができる。
請求項３に係る発明によれば、前記羽根の翼面における圧力上昇が緩やかとなり、空力性能の向上や騒音の低減が可能となる。さらに、前記羽根の後縁ラインから翼端渦が下流側に放出される際に、翼端渦が径方向外周に放出することを防止することができ、さらなる騒音の低減が可能となる。
【００２１】
請求項４に係る発明によれば、前記羽根の後縁のラインから後流渦が放出される際に、後流渦の流れをさらに安定させることができる。
請求項５に係る発明によれば、異物の混入を防ぐためのファンガードをベルマウスに取り付け易くなり、さらに、ベルマウスとファンガードとの干渉による騒音を抑制することができる。
【００２２】
請求項６に係る発明によれば、翼端渦が前記羽根から下流側に放出されるまで前記翼端渦を安定させることができる。
請求項７に係る発明によれば、前記翼端渦による騒音をより効果的に抑制することができる。さらに、前記羽根がアンダーカット形状を有していても効率よく生産することができる。
請求項８に係る発明によれば、静音性を維持しつつ旋回性能を高く保つことができる。
請求項９に係る発明によれば、快適性や利便性を高めることができる。
【発明を実施するための最良の形態】
【００２３】
以下、この発明の実施の形態におけるプロペラファンおよびこれを用いた空気調和機について図面と共に説明する。
図１は本発明の第１の実施の形態におけるプロペラファンの斜視図である。図２は図１に示すプロペラファンの平面図である。
これらの図に示すように、本実施の形態におけるプロペラファン１は、円筒状のハブ３と、このハブ３に装着された羽根４（４ａ〜４ｃ）とを備えている。このハブ３を所定方向Ｐ（この場合は時計回り）に回転させて羽根４を旋回させることで、空気等の流体を前方から後方（矢印Ｑ方向）に送り出している。
【００２４】
そして、それぞれの羽根４は、その外周端１３を負圧側（図２の表面側）に突出するように湾曲させてなる湾曲部１０を有している。さらに、図２に示すように、それぞれの羽根４の後縁ライン８は、前記ハブ３の回転軸Ｏに垂直な平面に投影したときに、内周端１１から外周側に向けて緩やかに曲線を描きながら回転方向に前進する内周側後縁ライン１５と、外周端１３よりやや根元側で変曲点１２をもつように回転方向に対して後退した外周側後縁ライン１６と、を有する曲線になっている。
【００２５】
それぞれの羽根４の後縁ライン８は、前記内周側後縁ライン１５の曲率半径よりも、前記外周側後縁ライン１６の曲率半径を小さくしている。
また、それぞれの羽根４は、前記湾曲部１０の半径方向の幅を、前縁側から後縁側にかけて、漸次大きくしている。
【００２６】
このように構成されたプロペラファン１の作用について、図１、図２に加えて、図３、図４を用いて説明する。
図３は図１に示すプロペラファンが発生する渦についての斜視説明図である。図４は図１に示すプロペラファンが発生する渦についての断面説明図である。これらの図に示すように、前記ハブ３を所定方向（矢印Ｐ方向）に回転させて前記羽根４を旋回させることで、前記流体を上流側から下流側（矢印Ｑ方向）に送り出すことができる。
そして、この時に前記羽根４の外周ライン６の翼端１７で発生する翼端渦Ｓは、前記湾曲部１０により負圧側に安定した状態で保持されつつ前記湾曲部１０に沿って下流方向に案内される。
【００２７】
そして、前記湾曲部１０の半径方向の幅を、前縁側から後縁側にかけて、漸次大きくしているため、翼端渦Ｓが、前記羽根４の前縁側から後縁側に向かうにつれて成長していっても、前記湾曲部１０に翼端渦Ｓを引きつけておくことができる。これにより、翼端渦Ｓが前記羽根４から下流側に放出されるまで前記翼端渦Ｓを安定させることができる。
さらに、羽根４の後縁ライン８に、前記変曲点１２をもつように回転方向に対して後退した外周側後縁ライン１６を形成することで、翼端渦Ｓが前記羽根４から下流側に放出されるまで前記翼端渦Ｓを安定させることができる。
従って、ある一つの羽根４で発生した翼端渦Ｓが、その外周側に配設されるベルマウス１９や他の羽根４に衝突することを防いで、衝突による騒音の発生を抑えることができる。
【００２８】
また、後縁ライン８に、前記変曲点１２をもつように回転方向に後退した外周側後縁ライン１６と、前記羽根４の内周端１１から外周側に向けて緩やかに曲線を描きながら回転方向に前進する内周側後縁ライン１５とを形成することで、後流渦Ｔを小さくすることができる。この効果についてより詳細に説明する。すなわち、後流渦Ｔは後縁ライン８に垂直な方向に放出されるので、従来のように後縁ラインが直線に近い形状の場合には、半径方向の各部位から放出される後流渦は一体化して幅の大きな渦となり、騒音も大きくなってしまう（図１２、図１３参照）。
【００２９】
しかしながら、前記羽根４の後縁ライン８を、上述のように内周側後縁ライン１５と外周側後縁ライン１６とを有する曲線にすることにより、後縁ライン８の半径方向の各部位から放出される後流渦Ｔの放出方向を異ならせることができる。よって、半径方向の各部位から放出される後流渦Ｔが一体化しにくくなり、小さな渦となるため、後流渦Ｔによる騒音の発生を抑えることができる。
【００３０】
また、上述のように、それぞれの羽根４において、後縁ライン８は、前記内周側後縁ライン１５の曲率半径よりも、前記外周側後縁ライン１６の曲率半径を小さくしているので、旋回性能に主として寄与する領域（内周側後縁ライン１５を有する面の領域）を十分に確保することができる。これにより、旋回による仕事量（使用回転数で送り出す流体の流量）を一定以上に確保しつつ、翼端渦Ｓや後流渦Ｔの発生を抑えることができる。ここで、後縁ライン８における外周側後縁ライン１６の占める割合を、３０％程度以内に抑えるように設定することが好ましい。
【００３１】
また、それぞれの羽根４は、湾曲部１０の半径方向の幅を、前記羽根４の前縁側から後縁側にかけて、漸次大きくしているので、前記羽根４の翼端１７で発生した翼端渦Ｓが、前記羽根４の前縁側から後縁側に向かうにつれて成長していっても、前記湾曲部１０に前記翼端渦Ｓを引きつけておくことができる。従って、翼端渦Ｓが前記羽根４から下流側に放出されるまで前記翼端渦Ｓを安定させることができる。
【００３２】
よって、本実施の形態におけるプロペラファン１は、旋回時に発生する渦（翼端渦Ｓや後流渦Ｔ）による騒音を防止して商品性を高めるとともに、空力損失を抑えて性能を向上することができる。
【００３３】
図９は本発明のプロペラファンと従来型のプロペラファンとについての同一回転数における静圧と風量との関係を示すグラフ図である。同図に示すように、本発明のプロペラファン１を用いた場合には、従来型のプロペラファン１３０に比べ、同一の回転数における送風性能が向上している。この結果から、同一風量、同一静圧では本発明の方が必要回転数が低下し、その分、送風音が低減すると言える。
【００３４】
以下、本発明の他の実施の形態について説明する。以下の実施の形態において、上述の実施の形態と同様の構成となっている箇所については、同一の符号を付してその説明を適宜省略する。
図５は本発明の第２の実施の形態におけるプロペラファンの平面図である。図６は図５に示すプロペラファンの羽根２４の回転軌跡を子午面に回転投影した図である。ここで、子午面はプロペラファン２１のハブ３の軸心を含む平面である。本実施の形態においては、前記羽根２４を子午面に回転投影したとき、前記羽根２４の後縁ライン８の内周端３１と、その外周端３３と、両者の間に形成される変曲点３２とが略同一直線Ｌ上に位置するように、それぞれの羽根２４は形成されている。
また、前記羽根２４の後縁ライン８の最外周部３３は、ベルマウス１９の前記回転軸Ｏ方向下流端部１９ａよりも、上流側（図６において下流端部１９ａよりも左側）に位置している。
【００３５】
このように、各点３１、３２、３３が略同一直線Ｌ上に位置するように、それぞれの羽根２４を形成することで、羽根２４の後縁ライン８において下流方向に局所的に突出する箇所を無くすことができる。従って、空気調和機などにおいて、プロペラファン２１の下流側に配設されるファンガード（図示せず）との干渉によって発生する騒音を抑制しつつ、限られたスペース内でできる限り翼面積を確保することができる。これによって、前記羽根２４の翼面における圧力上昇が緩やかとなり、空力性能の向上や騒音の低減が可能となる。さらに、前記羽根２４の後縁ライン８から翼端渦Ｓが下流側に放出される際に、翼端渦Ｓが径方向外周に放出することを防止することができ、さらなる騒音の低減が可能となる。
【００３６】
なお、図６においては、前記内周端３１、前記外周端３３、前記変曲点３２が同一直線Ｌ上に完全に一致する場合を示しているが、完全に一致する必要はなく、例えば、内周端３１が前記直線Ｌよりも上流側に位置するようになっていてもよい。この場合には、前記羽根２４の後縁ライン８から後流渦Ｔが放出される際に、後流渦Ｔが径方向外周に流出することを、上述の３つの点３１〜３３を同一直線Ｌ上に位置させる場合に比して、より確実に防止することができるため、後流渦Ｔの流れをさらに安定させることができる。
【００３７】
加えて、前記後縁ライン８の最外周部３３が、ベルマウス１９の前記回転軸Ｏ方向下流端部１９ａよりも、上流側に位置するようにそれぞれの羽根２４を設定することで、異物の混入を防ぐためのファンガード（図示せず）をベルマウス１９に取り付けやすくなる。さらに、ファンガードとの距離を確保しやすくなるため、ベルマウス１９とファンガードとの干渉による騒音を抑制することができる。従って、商品性を高めることができ、性能を向上することができる。
【００３８】
図７は本発明の第３の実施の形態におけるプロペラファンの平面図である。図８は図７に示すプロペラファンの要部を示す断面説明図である。これらの図に示すように、本実施の形態におけるプロペラファン４１の羽根４４は、湾曲部５０を、羽根４４のその他の部位（例えば内周側の部位）よりも柔軟な樹脂製材料で形成している。
【００３９】
このようにすると、前記羽根４４の旋回時に生じる翼端渦Ｓが前記湾曲部５０に衝突したときに、前記翼端渦Ｓのエネルギーを前記湾曲部５０でダンピングして、渦のエネルギーを吸収して小さくすることができる。従って、前記翼端渦Ｓによる騒音をより効果的に抑制することができる。さらに、前記羽根４４がアンダーカット形状を有していても、無理抜き成型することが可能となり、効率よく生産することができる。
【００４０】
ここで、前記樹脂製材料は、前記羽根４４を使用回転数で回転させたときに、前記湾曲部１０の外周側に設けられるベルマウス１９との非接触状態を維持し得る剛性を有することが好ましい。前記樹脂製材料が前記剛性を有することにより、前記ベルマウス１９と接触することによる旋回時の抵抗が増大することを防止できる。従って、旋回時に生じる抵抗の増大を防止することができるので、静音性を維持しつつ旋回性能を高く保つことができる。
【００４１】
このような性質を有する樹脂製材料として、スチレン系熱可塑性エラストマー、塩化ビニル系熱可塑性エラストマー、オレフィン系熱可塑性エラストマー等、耐候性に優れたものを好適に用いることができる。また、好ましい物性として、材料の伸び率を５００〜１５００％（３号ダンベル、５００ｍｍ／ｍｉｎ：ＪＩＳ  Ｋ  ６２５１の場合）とすることが好ましい。
【００４２】
なお、本発明の内容は上述の実施の形態のみに限られるものでないことはもちろんである。例えば、空気調和機としては、換気扇やエアコンといった家電用品に限らず、上述のプロペラファンを備えた空気調和機であればよい。
【図面の簡単な説明】
【００４３】
【図１】本発明の第１の実施の形態におけるプロペラファンの斜視図である。
【図２】図１に示すプロペラファンの平面図である。
【図３】図１に示すプロペラファンが発生する渦についての斜視説明図である。
【図４】図１に示すプロペラファンが発生する渦についての断面説明図である。
【図５】本発明の第２の実施の形態におけるプロペラファンの平面図である。
【図６】図５に示すプロペラファンの子午面に回転投影した図である。
【図７】本発明の第３の実施の形態におけるプロペラファンの平面図である。
【図８】図７に示すプロペラファンの要部を示す断面説明図である。
【図９】本発明のプロペラファンと従来型のプロペラファンとについての静圧と風量との関係を示すグラフ図である。
【図１０】従来における基本的なプロペラファンについての斜視図である。
【図１１】従来における改良型のプロペラファンについての図１０のＢＢ方向の一部断面図である。
【図１２】図１１に示すプロペラファンの斜視図である。
【図１３】図１１に示すプロペラファンの一部断面図である。
【符号の説明】
【００４４】
１…プロペラファン
３…ハブ
４（４ａ〜４ｃ）…羽根
８…後縁ライン
９…正圧面側湾曲部
１０…湾曲部
１１…内周端
１２…変曲点
１３…外周端
１９…ベルマウス
【図１】
2006002584.tif 000003
【図２】
2006002584.tif 000004
【図３】
2006002584.tif 000005
【図４】
2006002584.tif 000006
【図５】
2006002584.tif 000007
【図６】
2006002584.tif 000008
【図７】
2006002584.tif 000009
【図８】
2006002584.tif 000010
【図９】
2006002584.tif 000011
【図１０】
2006002584.tif 000012
【図１１】
2006002584.tif 000013
【図１２】
2006002584.tif 000014
【図１３】
2006002584.tif 000015